(57)【要約】  光データ伝送を良好に行い得るようにする。【解決手段】コネクタは、相手コネクタの電極に対応した位置に設けられた電極と、相手コネクタの光学部に対応した位置に設けられた光学部を備える。相手コネクタとの嵌合が行われるとき、光学部が相手コネクタの光学部と接触した後に、電極が相手コネクタの電極に接触する。相手コネクタとの嵌合解除が行われるとき、電極が相手コネクタの電極から分離した後に、光学部が相手コネクタの光学部から分離する。
2017179600.tif 000002
【特許請求の範囲】
【請求項１】
相手コネクタの電極に対応した位置に設けられた電極と、
上記相手コネクタの光学部に対応した位置に設けられた光学部を備え、
上記相手コネクタとの嵌合が行われるとき、上記光学部が上記相手コネクタの光学部と接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する
コネクタ。
【請求項２】
上記光学部は、移動可能に設けられ、
上記光学部が上記相手コネクタの光学部との接触を開始する状態では、上記電極が上記相手コネクタの電極と分離した位置にあるように上記光学部を上記相手コネクタ側に付勢する付勢部をさらに備える
請求項１に記載のコネクタ。
【請求項３】
上記電極が上記相手コネクタの電極に接触した状態を上記付勢部による付勢力に抗して保持するロック部をさらに備える
請求項２に記載のコネクタ。
【請求項４】
相手コネクタの電極に対応した位置に設けられた電極と、上記相手コネクタの光学部に対応した位置に設けられた光学部を有するコネクタと、
送信データを光信号に変換して上記光学部に供給する送信部と、
上記電極から得られる信号に基づいて上記電極と上記相手コネクタの電極との接触の有無を検出する検出部と、
上記検出部の出力に基づいて上記送信部から上記光学部に供給される光信号のパワーを制御する制御部を備える
電子機器。
【請求項５】
上記コネクタは、
上記相手コネクタとの嵌合が行われるとき、上記光学部が上記相手コネクタの光学部に接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する
請求項４に記載の電子機器。
【請求項６】
上記光学部は、移動可能に設けられ、
上記コネクタは、
上記光学部が上記相手コネクタの光学部との接触を開始する状態では、上記電極が上記相手コネクタの電極に接触しない位置にあるように上記光学部を上記相手コネクタ側に付勢する付勢部をさらに有する
請求項５に記載の電子機器。
【請求項７】
上記コネクタは、
上記電極が上記相手コネクタの電極に接触した状態を上記付勢部による付勢力に抗して保持するロック部をさらに有する
請求項６に記載の電子機器。
【請求項８】
上記制御部は、
上記検出部の出力が上記電極と上記相手コネクタの電極との接触があることを示すとき上記光信号のパワーを第１のパワーに制御し、上記検出部の出力が上記電極と上記相手コネクタの電極との接触がないことを示すとき上記光信号のパワーを上記第１のパワーより低い第２のパワーに制御する
請求項４に記載の電子機器。
【請求項９】
相手コネクタの電極に対応した位置に設けられた電極と、上記相手コネクタの光学部に対応した位置に設けられた光学部を有するコネクタと、
送信データを光信号に変換して上記光学部に供給する送信部と、
上記電極から得られる信号に基づいて上記電極と上記相手コネクタの電極との接触の有無を検出する検出部を備え、
上記コネクタは、
上記相手コネクタとの嵌合が行われるとき、上記光学部が上記相手コネクタの光学部に接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する電子機器の制御方法であって、
上記検出部の出力が上記電極と上記相手コネクタの電極との接触があることを示すとき上記光信号のパワーを第１のパワーに制御し、上記検出部の出力が上記電極と上記相手コネクタの電極との接触がないことを示すとき上記光信号のパワーを上記第１のパワーより低い第２のパワーに制御する
電子機器の制御方法。
【発明の詳細な説明】
【技術分野】
【０００１】
本技術は、コネクタ、電子機器および電子機器の制御方法に関し、特に、光データ伝送のためのコネクタ等に関する。
【背景技術】
【０００２】
近年、通信容量の急激な増大に伴い、光データ伝送を行うことが提案されている（特許文献１参照）。光データ伝送を行う場合、伝送品位向上のためには強いパワーでの伝送が必要となるが、コネクタが抜けた場合の安全確保が問題となる。
【先行技術文献】
【特許文献】
【０００３】
【特許文献１】特開２００３-０４３２９６号公報
【発明の概要】
【発明が解決しようとする課題】
【０００４】
本技術の目的は、光データ伝送を良好に行い得るようにすることにある。
【課題を解決するための手段】
【０００５】
本技術の概念は、
相手コネクタの電極に対応した位置に設けられた電極と、
上記相手コネクタの光学部に対応した位置に設けられた光学部を備え、
上記相手コネクタとの嵌合が行われるとき、上記光学部が上記相手コネクタの光学部と接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する
コネクタにある。【０００６】
本技術において、コネクタには、相手コネクタの電極に対応した位置に電極が設けられていると共に、相手コネクタの光学部に対応した位置に光学部が設けられている。そして、相手コネクタとの嵌合が行われるとき、光学部が相手コネクタの光学部と接触した後に電極が相手コネクタの電極に接触すると共に、相手コネクタとの嵌合解除が行われるとき、電極が相手コネクタの電極から分離した後に光学部が相手コネクタの光学部から分離する、ようにされている。【０００７】
例えば、光学部は、移動可能に設けられ、光学部が相手コネクタの光学部との接触を開始する状態では、電極が相手コネクタの電極と分離した位置にあるように光学部を相手コネクタ側に付勢する付勢部をさらに備える、ようにされてもよい。この場合、例えば、電極が相手コネクタの電極に接触した状態を付勢部による付勢力に抗して保持するロック部をさらに備える、ようにされてもよい。【０００８】
このように本技術においては、相手コネクタとの嵌合が行われるとき、光学部が相手コネクタの光学部と接触された後に電極が相手コネクタの電極に接触されると共に、相手コネクタとの嵌合解除が行われるとき、電極が相手コネクタの電極から分離された後に光学部が相手コネクタの光学部から分離される。そのため、電極が相手コネクタの電極に接触している場合には光学部が相手コネクタの光学部に接触していることが保証され、この場合のみ光学部に供給される光信号のパワーを高く制御することで安全確保が可能となり、光データ伝送を良好に行い得る。【０００９】
また、本技術の他の概念は、
相手コネクタの電極に対応した位置に設けられた電極と、上記相手コネクタの光学部に対応した位置に設けられた光学部を有するコネクタと、
送信データを光信号に変換して上記光学部に供給する送信部と、
上記電極から得られる信号に基づいて上記電極と上記相手コネクタの電極との接触の有無を検出する検出部と、
上記検出部の出力に基づいて上記送信部から上記光学部に供給される光信号のパワーを制御する制御部を備える
電子機器にある。【００１０】
本技術において、電子機器は、相手コネクタの電極に対応した位置に設けられた電極と、相手コネクタの光学部に対応した位置に設けられた光学部を有するコネクタを備えている。送信部により、送信データが光信号に変換されて光学部に供給される。検出部により、電極から得られる信号に基づいて電極と相手コネクタの電極との接触の有無が検出される。そして、制御部により、検出部の出力に基づいて送信部から光学部に供給される光信号のパワーが制御される。【００１１】
例えば、コネクタは、相手コネクタとの嵌合が行われるとき、光学部が相手コネクタの光学部に接触した後に、電極が相手コネクタの電極に接触し、相手コネクタとの嵌合解除が行われるとき、電極が相手コネクタの電極から分離した後に、光学部が相手コネクタの光学部から分離する、ようにされてもよい。【００１２】
この場合、例えば、光学部は、移動可能に設けられ、コネクタは、光学部が相手コネクタの光学部との接触を開始する状態では、電極が相手コネクタの電極に接触しない位置にあるように光学部を相手コネクタ側に付勢する付勢部をさらに有する、ようにされてもよい。そして、この場合、例えば、コネクタは、電極が相手コネクタの電極に接触した状態を付勢部による付勢力に抗して保持するロック部をさらに有する、ようにされてもよい。【００１３】
また、例えば、制御部は、検出部の出力が電極と相手コネクタの電極との接触があることを示すとき光信号のパワーを第１のパワーに制御し、検出部の出力が電極と相手コネクタの電極との接触がないことを示すとき光信号のパワーを第１のパワーより低い第２のパワーに制御する、ようにされてもよい。【００１４】
このように本技術においては、電極と相手コネクタの電極との接触の有無の検出出力に基づいて送信部から光学部に供給される光信号のパワーが制御される。そのため、光学部が相手コネクタの光学部に接触している場合だけ光信号のパワーを高くでき、安全確保が可能となり、光データ伝送を良好に行い得る。
【発明の効果】
【００１５】
本技術によれば、光データ伝送を良好に行い得る。本明細書に記載された効果はあくまで例示であって限定されるものではなく、また付加的な効果があってもよい。
【図面の簡単な説明】
【００１６】
【図１】実施の形態としてのＡＶ伝送システムの概要を示すブロック図である。
【図２】第１の電子機器と、第２の電子機器と、これらの電子機器を接続するための光ケーブルの構成例を示すブロック図である。
【図３】光コネクタ（レセプタクル）および光コネクタ（プラグ）の構成例を示す図である。
【図４】光コネクタ（レセプタクル）にコネクタ（プラグ）が挿入されて嵌合が行われる場合の各状態、および光コネクタ（レセプタクル）からコネクタ（プラグ）が抜去されて嵌合解除が行われる場合の各状態を説明するための図である。
【図５】光コネクタ（レセプタクル）に光コネクタ（プラグ）が挿入されていって光データ伝送が開始されるという動作を説明するためのフローチャートである。
【図６】光コネクタ（レセプタクル）よりコネクタ（プラグ）が抜去されていって光データ伝送が停止されるという動作を説明するためのフローチャートである。
【図７】送信側機器の具体例としてのディスクプレーヤの構成例を示すブロック図である。
【図８】受信側機器の具体例としてのテレビ受信機の構成例を示すブロック図である。
【発明を実施するための形態】
【００１７】
以下、発明を実施するための形態（以下、「実施の形態」とする）について説明する。なお、説明は以下の順序で行う。
１．実施の形態
２．変形例
【００１８】
＜１．実施の形態＞
［ＡＶ伝送システムの構成］
図１は、実施の形態としてのＡＶ（Audio and Visual）伝送システム１０の概要を示している。このＡＶ伝送システム１０は、メインストリームリンク（Main Stream Link）６０と、サブストリームリンク（Sub Stream Link）７０により構成されている。
【００１９】
メインストリームリンク６０では、主にオーディオ/ビデオ信号が伝送される。伝送される複数のビデオやオーディオ、それに付随するメタデータなどは、データパッキング部（Data Packing）６０１で、それぞれのストリームごとにパッキングされる。また、ビデオやオーディオのクロックを搬送クロックから再生するための分周比は、それぞれビデオクロックリカバリー情報（ＶＣＲ）、オーディオクロックリカバリー情報（ＡＣＲ）として、ＶＣＲ/ＡＣＲ生成部(VCR/ACR gen)６０２で生成される。
【００２０】
パッキングされた伝送データと生成されたリカバリー情報を含むレーンフレーム（Lane Frame）が、フレーム生成部（Frame Generator）６０３で生成される。複数の系のフレーム生成部６０３で得られたレーンフレームがマルチストリーム構成部（Multi-stream Constructor）６０４で一つにまとめられ、さらに、チャネルマッピング部（Channel Mapper）６０５で個々の伝送路（Physical Channels）にマッピングされて伝送される。
【００２１】
個々の伝送路で伝送されたレーンフレームは、チャネルデマッピング部（Channel De-Mapper）６０６でデマッピングされ、さらにマルチストリーム分解部（Multi-stream De-Constructor）６０７で、複数の系のレーンフレームに分解される。そして、それぞれの系において、パケット発生部（Packet Generator）６０８で、レーンフレームからビデオやオーディオ、それに付随するメタデータなどを含むパケットが取り出される。
【００２２】
データデパッキング部（Data De-Packing）６０９で、ビデオやオーディオ、それに付随するメタデータなどを含むパケットからビデオやオーディオ、それに付随するメタデータ等が抽出される。また、ビデオ/オーディオクロック部（Vide0/Audio Clock）６１０で、リカバリー情報（ＶＣＲ，ＡＣＲ）を含むパケットから当該リカバリー情報が抽出され、それが使用されてビデオやオーディオのクロックが再生される。
【００２３】
一方、サブストリームリンク７０では、双方向で、制御情報など、すなわち制御信号（Control）、イーサーネットデータ（IP data）、プラグアンドプレイ用データ（PnP neg）などが伝送される。制御情報などはデータパッキング部（Data Packing）７０１ａ，７０１ｂでパッキングされる。パッキングされた制御情報を含むレーンフレーム（Lane Frame）がフレーム生成部（Frame Generator）７０２ａ，７０２ｂで生成され、伝送路（Physical Channels）で伝送される。
【００２４】
伝送路で伝送されたレーンフレームから、パケット発生部（Packet Generator）７０３ａ，７０３ｂで、制御信号（Control）、イーサーネットデータ（IP data）、プラグアンドプレイ用データ（PnP neg）などを含むパケットが取り出される。そして、データデパッキング部（Data De-Packing）７０４ａ，７０４ｂで、取り出されたパケットから、制御信号（Control）、イーサーネットデータ（IP data）、プラグアンドプレイ用データ（PnP neg）などが抽出される。
【００２５】
このＡＶ伝送システム１０において、メインフレームリンク、サブフレームリンクのそれぞれで、送信側機器と受信側機器は光ケーブルで接続され、光データ伝送が行われる。
【００２６】
図２は、第１の電子機器１００と、第２の電子機器２００と、これらの電子機器を接続するための光ケーブル３００の構成例を示している。
【００２７】
第１の電子機器１００は、レセプタクルを構成する光コネクタ１０１と、送信/受信部１０２と、接続検出部１０３と、光出力制御部１０４を有している。第２の電子機器２００は、レセプタクルを構成する光コネクタ２０１と、送信/受信部２０２と、接続検出部２０３と、光出力制御部２０４を有している。光ケーブル３００は、一端側プラグとしての光コネクタ３０１と、他端側プラグとしての光コネクタ３０２を有している。
【００２８】
光ケーブル３００の光コネクタ３０１には、光学部３０１ａが設けられ、さらに電極３０１ｂが設けられている。また、光ケーブル３００の光コネクタ３０２には、光学部３０２ａが設けられ、さらに電極３０２ｂが設けられている。光学部３０１ａと光学部３０２ａは、光伝送路（光ファイバ、光導波路など）３０３で接続されており、電極３０１ｂと電極３０２ｂは、電気伝送路（メタルワイヤ）３０４で接続されている。
【００２９】
第１の電子機器１００の光コネクタ１０１には、光学部１０１ａが設けられ、さらに電極１０１ｂが設けられている。光学部１０１ａおよび電極１０１ｂは、それぞれ、接続対象としての相手コネクタである光ケーブル３００の光コネクタ３０１の光学部３０１ａおよび電極３０１ｂにそれぞれ対応した位置に設けられている。
【００３０】
第１の電子機器１００が送信側機器である場合、光学部１０１ａは光出力部を構成し、これに対応して光コネクタ３０１の光学部３０１ａは光入力部を構成する。一方、第１の電子機器１００が受信側機器である場合、光学部１０１ａは光入力部を構成し、これに対応して光コネクタ３０１の光学部３０１ａは光出力部を構成する。
【００３１】
ここで、光コネクタ１０１と光コネクタ３０１との嵌合が行われるとき、光学部１０１ａが光学部３０１ａと接触した後に、電極１０１ｂが電極３０１ｂと接触し、一方、光コネクタ１０１と光コネクタ３０１との嵌合解除が行われるとき、電極１０１ｂが電極３０１ｂから分離した後に、光学部１０１ａが光学部３０１ａから分離する。
【００３２】
送信/受信部１０２は、第１の電子機器１００が送信側機器である場合には、データ（送信データ）を入力して光信号に変換し、当該光信号を、光伝送路１０５を通じて光学部１０１ａに供給する。一方、送信/受信部１０２は、第１の電子機器１００が受信側機器である場合には、光学部１０１ａから光伝送路１０５を通じて供給される光信号からデータ（受信データ）を得、当該データを出力する。
【００３３】
接続検出部１０３は、第１の電子機器１００が送信側機器である場合、電極１０１ｂから電気伝送路１０６を通じて信号を受け取り、この信号に基づいて、電極１０１ｂと電極３０１ｂとの接触の有無を検出する。なお、この場合、第２の電子機器２００の光コネクタ２０１と光ケーブル３００の光コネクタ３０２とは既に嵌合状態にあるものとする。光出力制御部１０４は、第１の電子機器１００が送信側機器である場合、接続検出部１０３の出力に基づいて送信/受信部１０２から光伝送路１０５を通じて光学部１０１ａに供給される光信号のパワーを制御する。
【００３４】
この場合、光出力制御部１０４は、接続検出部１０３の出力が電極１０１ｂと電極３０１ｂとの接触があることを示すとき光信号のパワーを第１のパワー（光データ伝送を高品位で行い得るパワー）に制御し、接続検出部１０３の出力が電極１０１ｂと電極３０１ｂとの接触がないことを示すとき光信号のパワーを第１のパワーより低い第２のパワー（ユーザに対する健康被害が生じないような安全確保された充分に低いパワー）に制御する。
【００３５】
第２の電子機器２００の光コネクタ２０１には、光学部２０１ａが設けられ、さらに電極２０１ｂが設けられている。光学部２０１ａおよび電極２０１ｂは、それぞれ、接続対象としての相手コネクタである光ケーブル３００の光コネクタ３０２の光学部３０２ａおよび電極３０２ｂにそれぞれ対応した位置に設けられている。
【００３６】
第２の電子機器２００が送信側機器である場合、光学部２０１ａは光出力部を構成し、これに対応して光コネクタ３０２の光学部３０２ａは光入力部を構成する。一方、第２の電子機器２００が受信側機器である場合、光学部２０１ａは光入力部を構成し、これに対応して光コネクタ３０２の光学部３０２ａは光出力部を構成する。
【００３７】
ここで、光コネクタ２０１と光コネクタ３０２との嵌合が行われるとき、光学部２０１ａが光学部３０２ａと接触した後に、電極２０１ｂが電極３０２ｂと接触し、一方、光コネクタ２０１と光コネクタ３０２との嵌合解除が行われるとき、電極２０１ｂが電極３０２ｂから分離した後に、光学部２０１ａが光学部３０２ａから分離する。
【００３８】
送信/受信部２０２は、第２の電子機器２００が送信側機器である場合には、データ（送信データ）を入力して光信号に変換し、当該光信号を、光伝送路２０５を通じて光学部２０１ａに供給する。一方、送信/受信部２０２は、第２の電子機器２００が受信側機器である場合には、光学部２０１ａから光伝送路２０５を通じて供給される光信号からデータ（受信データ）を得、当該データを出力する。
【００３９】
接続検出部２０３は、第２の電子機器２００が送信側機器である場合、電極２０１ｂから電気伝送路２０６を通じて信号を受け取り、この信号に基づいて、電極２０１ｂと電極３０２ｂとの接触の有無を検出する。なお、この場合、第１の電子機器１００の光コネクタ１０１と光ケーブル３００の光コネクタ３０１とは既に嵌合状態にあるものとする。光出力制御部２０４は、第２の電子機器２００が送信側機器である場合、接続検出部２０３の出力に基づいて送信/受信部２０２から光伝送路２０５を通じて光学部２０１ａに供給される光信号のパワーを制御する。
【００４０】
この場合、光出力制御部２０４は、接続検出部２０３の出力が電極２０１ｂと電極３０２ｂとの接触があることを示すとき光信号のパワーを第１のパワー（光データ伝送を高品位で行い得るパワー）に制御し、接続検出部２０３の出力が電極２０１ｂと電極３０２ｂとの接触がないことを示すとき光信号のパワーを第１のパワーより低い第２のパワー（ユーザに対する健康被害が生じないような安全確保された充分に低いパワー）に制御する。
【００４１】
ここで、第１の電子機器１００の光コネクタ（レセプタクル）１０１と光ケーブル３００の光コネクタ（プラグ）３０１の部分の詳細な構成例について説明する。なお、第２の電子機器２００の光コネクタ（レセプタクル）２０１と光ケーブル３００の光コネクタ（プラグ）３０２の部分の詳細な構成例については、光コネクタ１０１と光コネクタ３０１と同様の構成となるので、その説明は省略する。図３（ａ）は、光コネクタ（レセプタクル）１０１の構成の一例を概略的に示している。また、図３（ｂ）は、光コネクタ（プラグ）３０１の構成の一例を概略的に示している。なお、図３（ａ），（ｂ）に示す構成はあくまでも一例であり、光コネクタ（レセプタクル）１０１および光コネクタ（プラグ）３０１の構成が図示の例に限定されるものではない。
【００４２】
図３（ｂ）に示す光コネクタ（プラグ）３０１について説明する。光コネクタ３０１は、挿入側の中央に開口３１２を持つ本体部３１１を有している。この本体部３１１に、開口３１２の底面に端面が覗くように、光学部３０１ａが設けられている。また、この本体部３１１に、外周に露出するように電極３０１ｂが設けられている。また、この本体部３１１の外周面には、ロック機構を構成するロック孔３１３が設けられている。
【００４３】
図３（ａ）に示す光コネクタ（レセプタクル）１０１について説明する。光コネクタ１０１は、コネクタ３０１側に開口１１２を持つ本体部１１１を有している。本体部１１１のコネクタ３０１の光学部３０１ａに対応した位置に、光学部１０１ａが設けられている。すなわち、開口１１２の底面中央から端部が突出するように、光学部１０１ａが設けられている。
【００４４】
この光学部１０１ａは、矢印方向に移動可能に設けられている。この光学部１０１ａのコネクタ３０１側とは反対の側に、付勢部を構成するコイル状のばね部材１１３が設けられている。光学部１０１ａは、光コネクタ３０１の挿入のない状態では、ばね部材１１３で付勢され、図示の位置に配置される。
【００４５】
本体部１１１の光コネクタ３０１の電極３０１ｂに対応した位置に、電極１０１ｂが設けられている。すなわち、開口１１２の側面にその一部が突出するように、電極１０１ｂが設けられている。また、この開口１１２の側面にその一部が突出するように、ロック機構を構成する山折状態のばね部材からなるロック部１１４が設けられている。
【００４６】
図４を参照して、光コネクタ（レセプタクル）１０１にコネクタ３０１（プラグ）が挿入されて嵌合が行われる場合の各状態を説明する。図４（ａ）は、ユーザ操作により、光コネクタ１０１の開口１１２への光コネクタ３０１の本体部３１１の挿入が開始された状態を示している。図４（ｂ）は、光コネクタ１０１の開口１１２への光コネクタ３０１の本体部３１１の挿入がさらに進み、光コネクタ１０１の光学部１０１ａが光コネクタ３０１の光学部３０１ａとの接触を開始した状態を示している。この状態では、光コネクタ１０１の電極１０１ｂは光コネクタ３０１の電極３０１ｂとはまだ接触されてはいない。
【００４７】
図４（ｃ）は、ばね部材１１３の付勢力に抗して、光コネクタ１０１の開口１１２への光コネクタ３０１の本体部３１１の挿入がさらに進み、光コネクタ１０１の開口１１２への光コネクタ３０１の本体部３１１の挿入が完了した嵌合状態を示している。この状態では、光コネクタ１０１の電極１０１ｂは光コネクタ３０１の電極３０１ｂと接触した状態におかれる。また、この状態では、ロック部材１１４がロック孔３１３に挿入され、ばね部材１１３の付勢力に抗して、この嵌合状態が保持される。
【００４８】
また、図４を参照して、光コネクタ（レセプタクル）１０１からコネクタ（プラグ）３０１が抜去されて嵌合解除が行われる場合の各状態を説明する。この場合の動作は、光コネクタ（レセプタクル）１０１にコネクタ３０１（プラグ）が挿入されて嵌合が行われる場合とは逆の動作となる。
【００４９】
図４（ｃ）に示す嵌合状態から、ユーザが光コネクタ（レセプタクル）１０１の開口１１２からコネクタ３０１（プラグ）を抜く方向に操作することでロックが解除される。ロックが解除されることで、光コネクタ１０１の光学部１０１ａはばね部材の付勢力によって移動し、図４（ｂ）の状態まで移動する。この状態では、光コネクタ１０１の光学部１０１ａが光コネクタ３０１の光学部３０１ａとの接触した状態にあるが、光コネクタ１０１の電極１０１ｂは既に光コネクタ３０１の電極３０１ｂと分離した状態となる。
【００５０】
図４（ａ）は、この状態から、ユーザが光コネクタ１０１よりコネクタ３０１を抜く方向にさらに操作した状態を示している。この状態では、光コネクタ１０１の電極１０１ｂは既に光コネクタ３０１の電極３０１ｂと分離した状態となっている。
【００５１】
図２に示す構成例において、第１の電子機器１００が送信側機器であり、第２の電子機器２００が受信側機器である場合において、光コネクタ（レセプタクル）１０１に光コネクタ３０１（プラグ）が挿入されていって光データ伝送が開始されるという動作を、図５のフローチャートを参照して説明する。なお、この場合、第２の電子機器２００の光コネクタ２０１と光ケーブル３００の光コネクタ３０２とは既に嵌合状態にあるものとする。
【００５２】
光コネクタ１０１の開口１１２に光コネクタ３０１の本体部３１１が挿入されていない状態では、光コネクタ１０１の電極１０１ｂと光コネクタ３０１の電極３０１ｂとの接触がなく、送信/受信部１０２からの光出力はオフ（OFF）あるいはパワーダウン（Power-down）の状態（初期状態）にある（ステップＳＴ１）。この状態で送信/受信部１０２から光コネクタ１０１の光学部１０１ａに供給される光信号のパワーは第２のパワー（ユーザに対する健康被害が生じないような安全確保された充分に低いパワー）にある。
【００５３】
この状態から、ユーザ操作により光コネクタ１０１の開口１１２への光コネクタ３０１の本体部３１１の挿入が開始され（図４（ａ）参照）、さらに挿入が進められると、光コネクタ１０１の光学部１０１ａと光コネクタ３０１の光学部３０１ａとが接触を開始する状態（図４（ｂ）参照）、つまり光学的結合の開始状態となる（ステップＳＴ２）。そして、この状態から、さらに挿入が進められる（ステップＳＴ３）。最終的には、光コネクタ１０１に光コネクタ３０１が嵌合された状態（図４（ｃ）参照）となる。
【００５４】
光出力制御部１０４は、接続検出部１０３の出力に基づいて、接続が検出されているか否か、つまり、光コネクタ１０１の電極１０１ｂと光コネクタ３０１の電極３０１ｂとの接触があるか否かを判断する（ステップＳＴ４）。接続が検出されていると判断するとき、光出力制御部１０４は、送信/受信部１０２からの光出力をオン（ON）あるいはパワーアップ（Power-up）の状態とする（ステップＳＴ５）。この状態で送信/受信部１０２から光コネクタ１０１の光学部１０１ａに供給される光信号のパワーは第１のパワー（光データ伝送を高品位で行い得るパワー）になる。
【００５５】
送信/受信部１０２から光コネクタ１０１の光学部１０１ａに第１のパワーによる光信号が供給され、光データ伝送が開始される（ステップＳＴ６）。この場合、送信/受信部１０２から光コネクタ１０１の光学部１０１ａに供給された光信号は、光ケーブル３００の光コネクタ３０１の光学部３０１ａ、光伝送路３０３および光コネクタ３０２の光学部３０２ａを通じて、第２の電子機器２００の光コネクタ２０１の光学部２０１ａに供給される。そして、光学部２０１ａに供給される光信号はさらに送信/受信部２０２に供給される。
【００５６】
次に、第１の電子機器１００が送信側機器であり、第２の電子機器２００が受信側機器である場合において、光コネクタ（レセプタクル）１０１に光コネクタ（プラグ）３０１が嵌合された状態（図４（ｃ）にあって、上述のように光データ伝送が行われている状態から、光コネクタ１０１よりコネクタ３０１が抜去されていって光データ伝送が停止されるという動作を、図６のフローチャートを参照して説明する。
【００５７】
光コネクタ１０１に光コネクタ３０１が嵌合された状態では、光コネクタ１０１の電極１０１ｂは光コネクタ３０１の電極３０１ｂとの接触があり、送信/受信部１０２からの光出力はオン（ON）あるいはパワーアップ（Power-up）の状態（初期状態）にある（ステップＳＴ１１）。この状態で送信/受信部１０２から光コネクタ１０１の光学部１０１ａに供給される光信号のパワーは第１のパワー（光データ伝送を高品位で行い得るパワー）にある。
【００５８】
この状態から、ユーザ操作により光コネクタ１０１の開口１１２から光コネクタ３０１の本体部３１１の抜去が開始される（ステップＳＴ１２）。光出力制御部１０４は、接続検出部１０３の出力に基づいて、接続が検出されているか否か、つまり、光コネクタ１０１の電極１０１ｂと光コネクタ３０１の電極３０１ｂとの接触があるか否かを判断する（ステップＳＴ１３）。
【００５９】
接続が検出されていないと判断するとき、光出力制御部１０４は、送信/受信部１０２からの光出力をオフ（OFF）あるいはパワーダウン（Power-down）の状態とする（ステップＳＴ１４）。この状態で送信/受信部１０２から光コネクタ１０１の光学部１０１ａに供給される光信号のパワーは第２のパワー（ユーザに対する健康被害が生じないような安全確保された充分に低いパワー）になる。なお、光コネクタ１０１の電極１０１ｂと光コネクタ３０１の電極３０１ｂとが分離を開始する状態（挿入時の接触を開始する状態と同じ）（図４（ｂ）参照）では、既に、光コネクタ１０１の電極１０１ｂと光コネクタ３０１の電極３０１ｂとは分離されており、接続が検出されていないと判断されている。
【００６０】
送信/受信部１０２からの光出力がオフあるいはパワーダウンされた後、光データ伝送が停止される（ステップＳＴ１５）。そして、この状態からさらに抜去が進められ、光コネクタ１０１の光学部１０１ａと光コネクタ３０１の光学部３０１ａとが分離された状態（図４（ａ）参照）となる（ステップＳＴ１６）。そして、最終的には、光コネクタ１０１から光コネクタ３０１が完全に抜去された状態となる。
【００６１】
［ディスクプレーヤの構成例］
図７は、送信側機器の具体例としてのディスクプレーヤ１１の構成例を示している。このディスクプレーヤ１１は、メインストリームリンク送信部４２５と、サブストリームリンク送信部４２６と、サブストリームリンク受信部４２７を有している。
【００６２】
メインストリームリンク送信部４２５やサブストリームリンク送信部４２６には、それぞれ、図２の第１の電子機器１００における光コネクタ１０１、送信/受信部１０２、接続検出部１０３、光出力制御部１０４などが含まれている。なお、光出力制御部１０４は、後述するＣＰＵ４０４で構成されてもよい。また、サブストリームリンク受信部４２７には、図２の第１の電子機器１００における光コネクタ１０１、送信/受信部１０２などが含まれている。
【００６３】
また、このディスクプレーヤ１１は、ＣＰＵ（Central Processing Unit）４０４と、内部バス４０５と、フラッシュＲＯＭ（Read Only Memory）４０６と、ＳＤＲＡＭ（Synchronous Random Access Memory）４０７と、リモコン受信部４０８と、リモコン送信機４０９を有している。
【００６４】
また、ディスクプレーヤ１１は、ＳＡＴＡ（Serial Advanced Technology Attachment）インタフェース４１０と、ＢＤ(Blu-Ray Disc)ドライブ４１１と、イーサネットインタフェース（Ethernet I/F）４１２と、ネットワーク端子４１３を有している。また、ディスクプレーヤ１１は、ＭＰＥＧ(Moving Picture Expert Group)デコーダ４１５と、グラフィック生成回路４１６と、映像出力端子４１７と、音声出力端子４１８を有している。
【００６５】
また、ディスクプレーヤ１１は、表示制御部４２１と、パネル駆動回路４２２と、表示パネル４２３と、電源部４２４を有していてもよい。なお、「イーサネット」および「Ｅｔｈｅｒｎｅｔ」は登録商標である。ＣＰＵ４０４、フラッシュＲＯＭ４０６、ＳＤＲＡＭ４０７、ＳＡＴＡインタフェース４１０、イーサネットインタフェース４１２、ＭＰＥＧデコーダ４１５および表示制御部４２１は、内部バス４０５に接続されている。
【００６６】
ＣＰＵ４０４は、ディスクプレーヤ１１の各部の動作を制御する。フラッシュＲＯＭ４０６は、制御ソフトウェアの格納およびデータの保管を行う。ＳＤＲＡＭ４０７は、ＣＰＵ４０４のワークエリアを構成する。ＣＰＵ４０４は、フラッシュＲＯＭ４０６から読み出したソフトウェアやデータをＳＤＲＡＭ４０７上に展開してソフトウェアを起動させ、ディスクプレーヤ１１の各部を制御する。
【００６７】
リモコン受信部４０８は、リモコン送信機４０９から送信されたリモーコントロール信号（リモコンコード）を受信し、ＣＰＵ４０４に供給する。ＣＰＵ４０４は、リモコンコードに従ってディスクプレーヤ１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００６８】
ＢＤドライブ４１１は、ディスク状記録メディアとしてのＢＤディスク（図示せず）に対して、コンテンツデータを記録し、あるいは、このＢＤからコンテンツデータを再生する。このＢＤドライブ４１１は、ＳＡＴＡインタフェース４１０を介して内部バス４０５に接続されている。ＭＰＥＧデコーダ４１５は、ＢＤドライブ４１１で再生されたＭＰＥＧ２ストリームに対してデコード処理を行って画像および音声のデータを得る。
【００６９】
ディスクプレーヤ１１から外部機器（受信機）に画像および音声のデータを送信する場合、ＭＰＥＧデコーダ４１５からメインストリームリンク送信部４２５に画像および音声のデータが供給される。この場合、画像および音声のデータは圧縮データ、非圧縮データのいずれであってもよい。
【００７０】
グラフィック生成回路４１６は、ＭＰＥＧデコーダ４１５で得られた画像データに対して、必要に応じてグラフィックスデータの重畳処理等を行う。映像出力端子４１７は、グラフィック生成回路４１６から出力される画像データを出力する。音声出力端子４１８は、ＭＰＥＧデコーダ４１５で得られた音声データを出力する。
【００７１】
パネル駆動回路４２２は、グラフィック生成回路４１６から出力される映像（画像）データに基づいて、表示パネル４２３を駆動する。表示制御部４２１は、グラフィクス生成回路４１６やパネル駆動回路４２２を制御して、表示パネル４２３における表示を制御する。表示パネル４２３は、例えば、ＬＣＤ(Liquid Crystal Display)、ＰＤＰ(Plasma Display Panel)、有機ＥＬ（Organic Electro-Luminescence）パネル等で構成されている。
【００７２】
なお、この実施の形態では、ＣＰＵ４０４の他に表示制御部４２１を有する例を示しているが、表示パネル４２３における表示をＣＰＵ４０４が直接制御するようにしてもよい。また、ＣＰＵ４０４と表示制御部４２１は、１つのチップになっていても、複数コアであってもよい。電源部４２４は、ディスクプレーヤ１１の各部に電源を供給する。この電源部４２４は、ＡＣ電源であっても、電池（蓄電池、乾電池）であってもよい。
【００７３】
図７に示すディスクプレーヤ１１の動作を簡単に説明する。記録時には、図示されないデジタルチューナを介して、あるいはネットワーク端子４１３からイーサネットインタフェース４１２を介して、記録すべきコンテンツデータが取得される。このコンテンツデータは、ＳＡＴＡインタフェース４１０に入力され、ＢＤドライブ４１１によりＢＤに記録される。場合によっては、このコンテンツデータは、ＳＡＴＡインタフェース４１０に接続された、図示されないＨＤＤ（ハードディスクドライブ）に記録されてもよい。
【００７４】
再生時には、ＢＤドライブ４１１によりＢＤから再生されたコンテンツデータ（ＭＰＥＧストリーム）は、ＳＡＴＡインタフェース４１０を介してＭＰＥＧデコーダ４１５に供給される。ＭＰＥＧデコーダ４１５では、再生されたコンテンツデータに対してデコード処理が行われ、非圧縮の画像および音声のデータが得られる。画像データは、グラフィック生成回路４１６を通じて映像出力端子４１７に出力される。また、音声データは、音声出力端子４１８に出力される。
【００７５】
また、再生時には、ＭＰＥＧデコーダ４１５で得られた画像データが、ユーザ操作に応じて、グラフィック生成回路４１６を通じてパネル駆動回路４２２に供給され、表示パネル４２３に再生画像が表示される。また、ＭＰＥＧデコーダ４１５で得られた音声データが、ユーザ操作に応じて、図示しないスピーカに供給され、再生画像に対応した音声が出力される。
【００７６】
また、この再生時に、ディスクプレーヤ１１から外部機器（受信機）に画像および音声のデータを送信する場合、ＭＰＥＧデコーダ４１５からメインストリームリンク送信部４２５に画像および音声のデータ（非圧縮データあるいは非圧縮データ）が供給され、メインストリームリンクで外部機器（受信機）に送信される。
【００７７】
なお、再生時に、ＢＤドライブ４１１で再生されたコンテンツデータをネットワークに送出する際には、このコンテンツデータは、イーサネットインタフェース４１２を介して、ネットワーク端子４１３に出力される。ここで、画像データを出力する前に、著作権保護技術、例えばＨＤＣＰ、ＤＴＣＰ、ＤＴＣＰ＋などを用いて暗号化してから伝送（送信）してもよい。
【００７８】
［テレビ受信機の構成例］
図８は、受信側機器の具体例としてのテレビ受信機１２の構成例を示している。このテレビ受信機１２は、メインストリームリンク受信部５３３と、サブストリームリンク受信部５３４と、サブストリームリンク送信部５３５を有している。
【００７９】
メインストリームリンク受信部５３３やサブストリームリンク受信部５３４には、それぞれ、図２の第２の電子機器２００における光コネクタ２０１、送信/受信部２０２などが含まれている。サブストリームリンク送信部５３５には、図２の第２の電子機器２００における光コネクタ２０１、送信/受信部２０２、接続検出部２０３、光出力制御部２０４などが含まれている。なお、光出力制御部２０４は、後述するＣＰＵ５２１で構成されてもよい。
【００８０】
また、テレビ受信機１２は、アンテナ端子５０５と、デジタルチューナ５０６と、ＭＰＥＧデコーダ５０７と、映像信号処理回路５０８と、グラフィック生成回路５０９と、パネル駆動回路５１０と、表示パネル５１１とを有している。
【００８１】
また、テレビ受信機１２は、音声信号処理回路５１２と、音声増幅回路５１３と、スピーカ５１４と、内部バス５２０と、ＣＰＵ５２１と、フラッシュＲＯＭ５２２と、ＳＤＲＡＭ（Synchronous Random Access Memory）５２３とを有している。また、テレビ受信機１２は、イーサネットインタフェース（Ethernet I/F）５２４と、ネットワーク端子５２５と、リモコン受信部５２６と、リモコン送信機５２７とを有している。また、テレビ受信機１２は、表示制御部５３１と、電源部５３２を有している。なお、「イーサネット」および「Ｅｔｈｅｒｎｅｔ」は登録商標である。
【００８２】
ＣＰＵ５２１は、テレビ受信機１２の各部の動作を制御する。フラッシュＲＯＭ５２２は、制御ソフトウェアの格納およびデータの保管を行う。ＳＤＲＡＭ５２３は、ＣＰＵ５２１のワークエリアを構成する。ＣＰＵ５２１は、フラッシュＲＯＭ５２２から読み出したソフトウェアやデータをＳＤＲＡＭ５２３上に展開してソフトウェアを起動させ、テレビ受信機１２の各部を制御する。
【００８３】
リモコン受信部５２６は、リモコン送信機５２７から送信されたリモーコントロール信号（リモコンコード）を受信し、ＣＰＵ５２１に供給する。ＣＰＵ５２１は、このリモコンコードに基づいて、テレビ受信機１２の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００８４】
ネットワーク端子５２５は、ネットワークに接続する端子であり、イーサネットインタフェース５２４に接続される。ＣＰＵ５２１、フラッシュＲＯＭ５２２、ＳＤＲＡＭ５２３、イーサネットインタフェース５２４、ＭＰＥＧデコーダ５０７および表示制御部５３１は、内部バス５２０に接続されている。
【００８５】
アンテナ端子５０５は、受信アンテナ（図示せず）で受信されたテレビ放送信号を入力する端子である。デジタルチューナ５０６は、アンテナ端子５０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００８６】
また、デジタルチューナ５０６は、得られたトランスポートストリームから、ＰＳＩ／ＳＩ（Program Specific Information／Service Information）を取り出し、ＣＰＵ５２１に出力する。デジタルチューナ５０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００８７】
ＭＰＥＧデコーダ５０７は、デジタルチューナ５０６で得られる映像データのＴＳパケットにより構成される映像ＰＥＳ（Packetized Elementary Stream）パケットに対してデコード処理を行って画像データを得る。また、ＭＰＥＧデコーダ５０７は、デジタルチューナ５０６で得られる音声データのＴＳパケットにより構成される音声ＰＥＳパケットに対してデコード処理を行って音声データを得る。また、ＭＰＥＧデコーダ５０７は、ネットワーク端子５２５からイーサネットインタフェース５２４を介して供給されるコンテンツデータ（画像データ、音声データ）に対してデコード処理を行って画像および音声のデータを得る。
【００８８】
映像信号処理回路５０８およびグラフィック生成回路５０９は、ＭＰＥＧデコーダ５０７で得られた画像データ、あるいはメインストリームリンク受信部５３３で受信された画像データに対して、必要に応じてスケーリング処理（解像度変換処理）、グラフィックスデータの重畳処理等を行う。
【００８９】
パネル駆動回路５１０は、グラフィック生成回路５０９から出力される映像（画像）データに基づいて、表示パネル５１１を駆動する。表示制御部５３１は、グラフィクス生成回路５０９やパネル駆動回路５１０を制御して、表示パネル５１１における表示を制御する。表示パネル５１１は、例えば、ＬＣＤ(Liquid Crystal Display)、ＰＤＰ(Plasma Display Panel)、有機ＥＬ（Organic Electro-Luminescence）パネル等で構成されている。
【００９０】
なお、この実施の形態では、ＣＰＵ５２１の他に表示制御部５３１を有する例を示しているが、表示パネル５１１における表示をＣＰＵ５２１が直接制御するようにしてもよい。また、ＣＰＵ５２１と表示制御部５３１は、１つのチップになっていても、複数コアであってもよい。電源部５３２は、テレビ受信機１２の各部に電源を供給する。この電源部５３２は、ＡＣ電源であっても、電池（蓄電池、乾電池）であってもよい。
【００９１】
音声信号処理回路５１２はＭＰＥＧデコーダ５０７で得られた音声データ、あるいはメインストリームリンク受信部５３３で受信された音声データに対してＤ／Ａ変換等の必要な処理を行う。音声増幅回路５１３は、音声信号処理回路５１２から出力される音声信号を増幅してスピーカ５１４に供給する。
【００９２】
なお、スピーカ５１４は、モノラルでもステレオでもよい。また、スピーカ５１４は、１つでもよく、２つ以上でもよい。また、スピーカ５１４は、イヤホン、ヘッドホンでもよい。また、スピーカ５１４は、２．１チャネルや、５．１チャネルなどに対応するものであってもよい。また、スピーカ５１４は、テレビ受信機１２と無線で接続してもよい。また、スピーカ５１４は、他機器であってもよい。
【００９３】
なお、例えば、受信されたコンテンツデータをネットワークに送出する際には、このコンテンツデータは、イーサネットインタフェース５２４を介して、ネットワーク端子５２５に出力される。ここで、画像データを出力する前に、著作権保護技術、例えばＨＤＣＰ、ＤＴＣＰ、ＤＴＣＰ＋などを用いて暗号化してから伝送してもよい。
【００９４】
図８に示すテレビ受信機１２の動作を簡単に説明する。アンテナ端子５０５に入力されたテレビ放送信号はデジタルチューナ５０６に供給される。このデジタルチューナ５０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ５０７に供給される。
【００９５】
ＭＰＥＧデコーダ５０７では、映像データのＴＳパケットにより構成される映像ＰＥＳパケットに対してデコード処理が行われて映像データが得られる。この映像データは、映像信号処理回路５０８およびグラフィック生成回路５０９において、必要に応じて、スケーリング処理（解像度変換処理）、グラフィックスデータの重畳処理等が行われた後に、パネル駆動回路５１０に供給される。そのため、表示パネル５１１には、ユーザの選択チャネルに対応した画像が表示される。
【００９６】
また、ＭＰＥＧデコーダ５０７では、音声データのＴＳパケットにより構成される音声ＰＥＳパケットに対してデコード処理が行われて音声データが得られる。この音声データは、音声信号処理回路５１２でＤ／Ａ変換等の必要な処理が行われ、さらに、音声増幅回路５１３で増幅された後に、スピーカ５１４に供給される。そのため、スピーカ５１４から、ユーザの選択チャネルに対応した音声が出力される。
【００９７】
また、ネットワーク端子５２５からイーサネットインタフェース５２４に供給されるコンテンツデータ（画像データ、音声データ）は、ＭＰＥＧデコーダ５０７に供給される。以降は、上述したテレビ放送信号の受信時と同様の動作となり、表示パネル５１１に画像が表示され、スピーカ５１４から音声が出力される。
【００９８】
また、テレビ受信機１２が外部機器（送信機）から画像および音声のデータを受信する場合、メインストリームリンク受信部５３３で受信された画像および音声のデータは、それぞれ映像信号処理回路５０８および音声信号処理回路５１２に供給される。以降は、上述したテレビ放送信号の受信時と同様の動作となり、表示パネル５１１に画像が表示され、スピーカ５１４から音声が出力される。
【００９９】
上述したように、図１に示すＡＶシステム１０においては、光コネクタ（レセプタクル）に光コネクタ（プラグ）が挿入されて嵌合が行われるとき、光学部同士が接触された後に電極同士が接触され、光コネクタ（レセプタクル）から光コネクタ（プラグ）が抜去されて嵌合解除が行われるとき、電極同士が分離された後に光学部同士が分離される。そのため、電極が相手コネクタの電極に接触している場合には光学部が相手コネクタの光学部に接触していることが保証され、この場合のみ光学部に供給される光信号のパワーが高く制御されることで安全確保が可能となり、光データ伝送を良好に行い得る。
【０１００】
＜２．変形例＞
なお、上述実施の形態においては、電子機器の光コネクタ（レセプタクル）と光ケーブルの光コネクタ（プラグ）とが嵌合される例を示したが、同様のコネクタ構成で、電子機器同士を直接接続する構成も考えられる。
【０１０１】
また、上述実施の形態において、送信側機器の具体例としてディスクプレーヤ１１（図７参照）を示し、また、受信側機器の具体例としてテレビ受信機１２（図８参照）を示した。しかし、送信側機器および受信側機器は、これらに限定されないことは勿論である。
【０１０２】
また、本技術は、以下のような構成をとることもできる。
（１）相手コネクタの電極に対応した位置に設けられた電極と、
上記相手コネクタの光学部に対応した位置に設けられた光学部を備え、
上記相手コネクタとの嵌合が行われるとき、上記光学部が上記相手コネクタの光学部と接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する
コネクタ。
（２）上記光学部は、移動可能に設けられ、
上記光学部が上記相手コネクタの光学部との接触を開始する状態では、上記電極が上記相手コネクタの電極と分離した位置にあるように上記光学部を上記相手コネクタ側に付勢する付勢部をさらに備える
前記（１）に記載のコネクタ。
（３）上記電極が上記相手コネクタの電極に接触した状態を上記付勢部による付勢力に抗して保持するロック部をさらに備える
前記（２）に記載のコネクタ。
（４）相手コネクタの電極に対応した位置に設けられた電極と、上記相手コネクタの光学部に対応した位置に設けられた光学部を有するコネクタと、
送信データを光信号に変換して上記光学部に供給する送信部と、
上記電極から得られる信号に基づいて上記電極と上記相手コネクタの電極との接触の有無を検出する検出部と、
上記検出部の出力に基づいて上記送信部から上記光学部に供給される光信号のパワーを制御する制御部を備える
電子機器。
（５）上記コネクタは、
上記相手コネクタとの嵌合が行われるとき、上記光学部が上記相手コネクタの光学部に接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する
前記（４）に記載の電子機器。
（６）上記光学部は、移動可能に設けられ、
上記コネクタは、
上記光学部が上記相手コネクタの光学部との接触を開始する状態では、上記電極が上記相手コネクタの電極に接触しない位置にあるように上記光学部を上記相手コネクタ側に付勢する付勢部をさらに有する
前記（４）または（５）に記載の電子機器。
（７）上記コネクタは、
上記電極が上記相手コネクタの電極に接触した状態を上記付勢部による付勢力に抗して保持するロック部をさらに有する
前記（６）に記載の電子機器。
（８）上記制御部は、
上記検出部の出力が上記電極と上記相手コネクタの電極との接触があることを示すとき上記光信号のパワーを第１のパワーに制御し、上記検出部の出力が上記電極と上記相手コネクタの電極との接触がないことを示すとき上記光信号のパワーを上記第１のパワーより低い第２のパワーに制御する
前記（４）から（７）のいずれかに記載の電子機器。
（９）相手コネクタの電極に対応した位置に設けられた電極と、上記相手コネクタの光学部に対応した位置に設けられた光学部を有するコネクタと、
送信データを光信号に変換して上記光学部に供給する送信部と、
上記電極から得られる信号に基づいて上記電極と上記相手コネクタの電極との接触の有無を検出する検出部を備え、
上記コネクタは、
上記相手コネクタとの嵌合が行われるとき、上記光学部が上記相手コネクタの光学部に接触した後に、上記電極が上記相手コネクタの電極に接触し、
上記相手コネクタとの嵌合解除が行われるとき、上記電極が上記相手コネクタの電極から分離した後に、上記光学部が上記相手コネクタの光学部から分離する電子機器の制御方法であって、
上記検出部の出力が上記電極と上記相手コネクタの電極との接触があることを示すとき上記光信号のパワーを第１のパワーに制御し、上記検出部の出力が上記電極と上記相手コネクタの電極との接触がないことを示すとき上記光信号のパワーを上記第１のパワーより低い第２のパワーに制御する
電子機器の制御方法。
【符号の説明】
【０１０３】
１０・・・ＡＶ伝送システム
６０・・・メインストリームリンク
７０・・・サブストリームリンク
１００・・・第１の電子機器
１０１・・・光コネクタ（レセプタクル）
１０１ａ・・・光学部
１０１ｂ・・・電極
１０２・・・送信/受信部
１０３・・・接続検出部
１０４・・・光出力制御部
１０５・・・光伝送路
１０６・・・電気伝送路
１１１・・・本体部
１１２・・・開口
１１３・・・ばね部材
１１４・・・ロック部材
２００・・・第２の電子機器
２０１・・・光コネクタ（レセプタクル）
２０１ａ・・・光学部
２０１ｂ・・・電極
２０２・・・送信/受信部
２０３・・・接続検出部
２０４・・・光出力制御部
２０５・・・光伝送路
２０６・・・電気伝送路
３００・・・光ケーブル
３０１，３０２・・・光コネクタ（プラグ）
３０１ａ，３０２ａ・・・光学部
３０１ｂ，３０２ｂ・・・電極
３０３・・・光伝送路
３０４・・・電気伝送路
３１１・・・本体部
３１２・・・開口
３１３・・・ロック孔
４０４・・・ＣＰＵ
４０５・・・内部バス
４０６・・・フラッシュＲＯＭ
４０７・・・ＳＤＲＡＭ
４０８・・・リモコン受信部
４０９・・・リモコン送信機
４１０・・・ＳＡＴＡインタフェース
４１１・・・ＢＤドライブ
４１２・・・イーサネットインタフェース
４１３・・・ネットワーク端子
４１５・・・ＭＰＥＧデコーダ
４１６・・・グラフィック生成回路
４１７・・・映像出力端子
４１８・・・音声出力端子
４２１・・・表示制御部
４２２・・・パネル駆動回路
４２３・・・表示パネル
４２４・・・電源部
４２５・・・メインストリームリンク送信部
４２６・・・サブストリームリンク送信部
４２７・・・サブストリームリンク受信部
５０５・・・アンテナ端子
５０６・・・デジタルチューナ
５０７・・・ＭＰＥＧデコーダ
５０８・・・映像信号処理回路
５０９・・・グラフィック生成回路
５１０・・・パネル駆動回路
５１１・・・表示パネル
５１２・・・音声信号処理回路
５１３・・・音声増幅回路
５１４・・・スピーカ
５２０・・・内部バス
５２１・・・ＣＰＵ
５２２・・・フラッシュＲＯＭ
５２３・・・ＳＤＲＡＭ
５２４・・・イーサネットインタフェース
５２５・・・ネットワーク端子
５２６・・・リモコン受信部
５２７・・・リモコン送信機
５３１・・・表示制御部
５３２・・・電源部
５３３・・・メインストリームリンク受信部
５３４・・・サブストリームリンク受信部
５３５・・・サブストリームリンク送信部
【図１】
2017179600.tif 000003
【図２】
2017179600.tif 000004
【図３】
2017179600.tif 000005
【図４】
2017179600.tif 000006
【図５】
2017179600.tif 000007
【図６】
2017179600.tif 000008
【図７】
2017179600.tif 000009
【図８】
2017179600.tif 000010
【国際調査報告】
2017179600.tif 000011
2017179600.tif 000012
2017179600.tif 000013
2017179600.tif 000014